(57)【特許請求の範囲】
【請求項１】
残留水を有している埋立すべきポンドを囲む、廃棄物によって形成された埋立地盤内に設けた通水性の集水井戸と、上記集水井戸内に浸出した上記ポンド内の残留水からの浸出水を浸出水処理手段に供給する手段とより成ることを特徴とする廃棄物海面埋立処分場における埋立廃棄物の溶脱促進および浄化装置。
【請求項２】
上記集水井戸内に浸出した浸出水を上記ポンド内に戻す手段を更に有することを特徴とする請求項１記載の廃棄物海面埋立処分場における埋立廃棄物の溶脱促進および浄化装置。
【請求項３】
上記廃棄物埋立地盤内にコンクリートがら等の粒度の大きな層をサンドイッチ状に敷設することにより集水井戸への通水性を向上させるようにしたことを特徴とする請求項１、２記載の廃棄物海面埋立処分場における埋立廃棄物の溶脱促進および浄化装置。
【請求項４】
残留水を有している埋立すべきポンドを囲む、廃棄物によって形成された埋立地盤内に設けた通水性の注水井戸及び集水井戸と、上記ポンド内の残留水を上記注水井戸に注水する手段と、上記集水井戸内に浸出した上記ポンド内の残留水からの浸出水を浸出水処理手段に供給する手段と、上記集水井戸内に浸出した上記ポンド内の残留水からの浸出水を上記注水井戸に供給する手段とより成ることを特徴とする廃棄物海面埋立処分場における埋立廃棄物の溶脱促進および浄化装置。
【請求項５】
上記集水井戸の下端が上記埋立地盤の底面に達していないことを特徴とする請求項１、２、３または４記載の廃棄物海面埋立処分場における埋立廃棄物の溶脱促進および浄化装置。
【請求項６】
上記注水井戸の下端が上記埋立地盤の底面に達していないことを特徴とする請求項４または５記載の廃棄物海面埋立処分場における埋立廃棄物の溶脱促進および浄化装置。
【請求項７】
上記埋立地盤の、上記ポンド側に腹付けして築造される廃棄物の埋立地盤を更に有することを特徴とする請求項１、２、３、４、５または６記載の廃棄物海面埋立処分場における埋立廃棄物の溶脱促進および浄化装置。
【請求項８】
廃棄物によって形成された埋立地盤内に設けた通水性の集水井戸内に上記埋立地盤によって囲まれた、残留水を有しているポンド内の残留水を浸出せしめる工程と、上記集水井戸内に浸出した上記ポンド内からの浸出水を処理する工程とより成ることを特徴とする廃棄物海面埋立処分場における埋立廃棄物の溶脱促進および浄化方法。
【請求項９】
上記集水井戸内に浸出した浸出水を上記ポンド内に戻す工程を更に有することを特徴とする請求項８記載の廃棄物海面埋立処分場における埋立廃棄物の溶脱促進および浄化方法。
【請求項１０】
廃棄物によって形成された埋立地盤内に設けた通水性の集水井戸内に上記埋立地盤によって囲まれた、残留水を有しているポンド内の残留水を浸出せしめる工程と、上記集水井戸内に浸出した上記ポンド内からの浸出水を上記埋立地盤内に設けた注水井戸に供給する工程と、上記集水井戸内に浸出した浸出水を処理する工程とより成ることを特徴とする廃棄物海面埋立処分場における埋立廃棄物の溶脱促進および浄化方法。
【請求項１１】
上記集水井戸の下端が上記埋土地盤の底面に達していないことを特徴とする請求項８、９または１０記載の廃棄物海面埋立処分場における埋立廃棄物の溶脱促進および浄化方法。
【請求項１２】
上記注水井戸の下端が上記埋立地盤の底面に達していないことを特徴とする請求項１０または１１記載の廃棄物海面埋立処分場における埋立廃棄物の溶脱促進および浄化方法。
【発明の詳細な説明】
【０００１】
【発明の属する技術分野】
本発明は埋立廃棄物の溶脱促進および浄化方法及び装置、特に、廃棄物による海面埋立処分場の埋立廃棄物の溶脱促進および浄化方法及び装置に関するものである。
【０００２】
【従来の技術】
従来の廃棄物および海面埋立の方法としては、一方向からの片押し埋立、底部の軟弱粘土層を破壊させないための均等層状撒き出し埋立、及び小区画に分けた部分の周りで廃棄物による中仕切埋立を先行して行なうポンド埋立工法がある。
【０００３】
このうち、埋立地を陸地化するまでに要する時間が短い点ではポンド埋立工法が最適である。
【０００４】
【発明が解決しようとする課題】
然しながら、従来の廃棄物海面埋立では、注水等による強制的な埋立廃棄物の溶脱促進は行っていない。たとえ降雨があっても降雨はその３０％程度しか埋立廃棄物に浸透せず、従って、埋立地に残留する海水に由来する埋立廃棄物地盤の地下水との長期的な接触によって、埋立廃棄物内の汚濁物質などが緩慢に溶出する。
【０００５】
実際の廃棄物海面埋立処分場の浸出水処理においては、埋立初期に取水する浸出水の汚濁物質などの濃度は極めて低く、埋立後期に急激にその濃度が上昇する。従って、浸出水処理による処分場系外への汚濁物質等の移行は、実質的に埋立後期からしか行われないため、跡地利用に影響を与える埋立地の健全化はそれだけ遅れることになる。
【０００６】
埋立が完了した実際の廃棄物海面埋立処分場の予測では、埋立完了後から約７０年間も浸出水処理を継続しなければならない結果も報告されており、この期間の短縮化は地方自治体が熱望している課題である。
【０００７】
本発明者は種々実験，研究の結果，廃棄物によって形成された中仕切によって囲まれたポンド内の残留水に動きを与えることによって埋立廃棄物からの汚濁物質の溶出が効果的に行なわれること、及び埋立廃棄物の下部では廃棄物中の有機物の生物分解やろ過、吸着を通じた重金属などの不溶化が促進されることを見出した。
【０００８】
本発明は、かかる知見に基づいてなされたものである。
【０００９】
【課題を解決するための手段】
本発明の廃棄物海面埋立処分場における埋立廃棄物の溶脱促進および浄化装置は、残留水を有している埋立すべきポンドを囲む、廃棄物によって形成された埋立地盤内に設けた通水性の集水井戸と、上記集水井戸内に浸出した上記ポンド内の残留水からの浸出水を浸出水処理手段に供給する手段とより成ることを特徴とする。
【００１０】
また、本発明の埋立廃棄物の溶脱促進および浄化装置は、上記集水井戸内に浸出した浸出水を上記ポンド内に戻す手段を更に有することを特徴とする。
【００１１】
また、本発明の埋立廃棄物の溶脱促進および浄化装置は、上記廃棄物埋立地盤内にコンクリートがら等の粒度の大きな層をサンドイッチ状に敷設することにより集水井戸への通水性を向上させるようにしたことを特徴とする。
【００１２】
また、本発明の廃棄物海面埋立処分場における埋立廃棄物の溶脱促進および浄化装置は、残留水を有している埋立すべきポンドを囲む、廃棄物によって形成された埋立地盤内に設けた通水性の注水井戸及び集水井戸と、上記ポンド内の残留水を上記注水井戸に注水する手段と、上記集水井戸内に浸出した上記ポンド内の残留水からの浸出水を浸出水処理手段に供給する手段と、上記集水井戸内に浸出した上記ポンド内の残留水からの浸出水を上記注水井戸に供給する手段とより成ることを特徴とする。
【００１３】
本発明においては、上記集水井戸及び注水井戸の下端は、上記埋立地盤の底面に達していないことを特徴とする。
【００１５】
また、本発明の廃棄物海面埋立処分場における埋立廃棄物の溶脱促進および浄化方法は、廃棄物によって形成された埋立地盤内に設けた通水性の集水井戸内に上記埋立地盤によって囲まれた、残留水を有しているポンド内の残留水を浸出せしめる工程と、上記集水井戸内に浸出した上記ポンド内からの浸出水を処理する工程とより成ることを特徴とする。
【００１６】
また、本発明の埋立廃棄物の溶脱促進および浄化方法は、上記集水井戸内に浸出した浸出水を上記ポンド内に戻す工程を更に有することを特徴とする。
【００１７】
また、本発明の廃棄物海面埋立処分場における埋立廃棄物の溶脱促進および浄化方法は、廃棄物によって形成された埋立地盤内に設けた通水性の集水井戸内に上記埋立地盤によって囲まれた、残留水を有しているポンド内の残留水を浸出せしめる工程と、上記集水井戸内に浸出した上記ポンド内からの浸出水を上記埋立地盤内に設けた注水井戸に供給する工程と、上記集水井戸内に浸出した浸出水を処理する工程とより成ることを特徴とする。
【００１８】
また、本発明の埋立廃棄物の溶脱促進および浄化方とその装置においては、埋立地盤に腹付けして築造される廃棄物の埋立地盤を更に有することを特徴とする。
【００１９】
【発明の実施の形態】
以下図面によって本発明の実施例を説明する。
【００２０】
図１において、１は廃棄物によって形成した埋立地盤より成る中仕切、２はこの中仕切１によって囲まれたポンド、３はこのポンド２内の残留海水を示し、本発明においては、上記中仕切１に側面に通水孔を形成したパイプより成る集水井戸４を所望の間隔を置いて形成せしめ、ポンド２内を廃棄物によって埋立てしながら、中仕切１を形成する廃棄物を介してポンド２側から集水井戸４内に浸出した浸出水をポンプ５によって汲み出し、弁６及びライン７を介してポンド２内に戻すようにすると共に、弁８及びライン９を介して浸出水処理施設１０に加え、処理せしめるようにする。
【００２１】
本発明は、上記の通りであるから、集水井戸４からポンド２内に向かう浸透水には廃棄物内に含まれる溶出しやすい重金属等や汚濁物質が多く含まれるようになり、ポンド２からポンプ５、弁６及びライン７を通る水の循環が進むにつれてポンド２内の残留海水３中の重金属等や汚濁物質の濃度が増大する。従って、この時点で集水井戸４内に浸出した浸出水をポンプ５によって汲み出し、弁８及びライン９を介して浸出水処理施設１０によって処理すれば、ポンド２内の埋立初期から残留海水の処理が可能となる。
【００２２】
なお、上記残留海水中の汚濁物質などの濃度はその後、残留海水の循環過程で廃棄物層内で浄化され、濃度は低下する。
【００２３】
また、集水とその水のポンドへの返送の循環工程期間中の降雨（水）や廃棄物によるポンド内の埋立処分に伴い上昇するポンド内水位を低下させるためにポンド内水を適宜、浸出水処理施設１０にライン１１とポンド２内に設けたポンプ１２によって導水し、処理した後、系外に排水する。浸出水処理施設１０への導水方法としては、図２に示すようにポンド２の処理施設側に余水吐１３を設置し、堰により未埋立区域１４に排水した後、浸出水処理施設１０にポンプ１２で取水しても良い。
【００２４】
本発明の他の実施例においては、図２に示すように、更に上記中仕切１に夫々側面に通水孔を形成したパイプより成る注水井戸１５を形成せしめ、上記集水井戸４内に浸出した浸出水を弁６及びライン７を介して上記注水井戸１５内に注水せしめるようにする。
【００２５】
本発明のこの実施例によれば、注水井戸１５からポンド２内に向かう浸透水には廃棄物内に含まれる溶出しやすい汚濁物質などが多く含まれるようになり、注水井戸１５を通る水の循環が進むにつれてポンド２内の残留海水３中の汚濁物質などの濃度が増大するようになり、廃棄物の溶脱促進が一層促進されるようになる。
【００２６】
なお、集水井戸４と注水井戸１５には水位計とそれに付帯するリミットスイッチを設置し、集水井戸４内が所定の高水位になった場合にポンプ５を作動させ、注水井戸１５内が、所定の高水位になれば弁６を閉じ、所定の低水位になれば弁６を開くようにする。
【００２７】
更に、汚濁物質の指標となるｐＨ値、電気伝導度センサーとそれに連動する自動制御手段（何れも図示せず）を設置し、集水井戸４内の浸出水が目標とするｐＨ値、電気伝導度になるまでは弁８を閉じ、弁６を開きポンプ５によって集水井戸４内の浸出水をポンド２または注水井戸１５内に送水し、目標とするｐＨ値、電気伝導度に達したとき浸出水をその浸出水処理施設１０に送水するようにする。
【００２８】
注水井戸１５と集水井戸４の設置間隔及び設置数は、浸出水処理の短縮期間の試算結果を参考にして決定する。
【００２９】
ポンド２内の埋立は、図１及び図２に点線で示すように先行して築造した廃棄物による中仕切１を腹付する形で、周辺から中心部に向って埋立てる方法が埋立廃棄物の溶脱促進を効果的に行う意味で好ましい。
【００３０】
また、埋立後期になって残留海水面が減少した場合は、集水井戸５による集水でなく、浸透水が拡散しているポンド２内残留海水３を浸出水として取水する。
【００３１】
上記、循環流量や回数は、廃棄物中の汚濁成分などの含有量と、浸透水中の汚濁物質などの濃度と溶解度との差異を指標にして設定すれば良い。
【００３２】
本発明の更に他の実施例においては、図３及び図４に示すように集水井戸４及び／または注水井戸１５の下端を中仕切１の底面から所望距離浮かせ、この注水井戸１５の下端より上方に位置する埋立廃棄物は強制的に溶脱及び浄化を促進せしめ、井戸の下端と中仕切の底面間に存在する埋立廃棄物は強制的な溶脱促進及び浄化をせず、自然に重金属などの不溶化を促進せしめるようにする。
【００３３】
この実施例によれば強制的に溶脱促進する部分が少なくなるだけ効率が向上するようになる。
【００３５】
この実施例によれば、埋立廃棄物の溶脱を更に促進することができる。
【００３６】
なお、上記溶脱促進とは、汚濁成分などの溶出を促すことを意味し、浄化とは、汚濁成分などの浸出した水が埋立廃棄物中を循環する間に生ずる▲１▼有機物の生物分解（生物処理）と、▲２▼ろ過・吸着を通した重金属などの捕足と不溶化（物理化学処理）を意味する。
【００３７】
【発明の効果】
上記のように、本発明の埋立廃棄物の溶脱促進および浄化方法とその装置によれば、廃棄物海面埋立処分場を埋立処分を行いながら、埋立地を安定化させ、早期に健全化できる大きな利益がある。
【図面の簡単な説明】
【図１】  本発明の廃棄物海面埋立処分場における埋立廃棄物の溶脱促進および浄化方法とその装置の説明図である。
【図２】  本発明の廃棄物海面埋立処分場における埋立廃棄物の溶脱促進および浄化方法とその装置の他の実施例説明図である。
【図３】  本発明の廃棄物海面埋立処分場における埋立廃棄物の溶脱促進および浄化方法とその装置の他の実施例説明図である。
【図４】  本発明の廃棄物海面埋立処分場における埋立廃棄物の溶脱促進および浄化方法とその装置の他の実施例説明図である。
【符号の説明】
１  中仕切
２  ポンド
３  残留海水
４  集水井戸
５  ポンプ
６  弁
７  ライン
８  弁
９  ライン
１０  浸出水処理装置
１１  ライン
１２  ポンプ
１３  余水吐
１４  未埋立区域
１５  注水井戸
【図１】
0004018257.tif 000002
【図２】
0004018257.tif 000003
【図３】
0004018257.tif 000004
【図４】
0004018257.tif 000005